(57)【要約】【課題】安価な製品であるインク用のハウジングに好適な簡単な構造で、製造も容易にでき、インクのペン先への供給量を手動により調節でき、インクを残部の最後まで使用でき、インクの詰め替えも可能な液体インク用筆記具ハウジングとそれを用いた筆記具を提供する。【解決手段】筆記具を手に支持しやすい様にインク充填部カバーを固定形状にし、インク充填部のインクには手動により押し圧が掛かるように、インク充填部を柔軟形状に押圧するか、又は、空気での押圧用にインク充填部と通じた蛇腹部を備える。【選択図】図１
2007098699.tif 000002
【特許請求の範囲】
【請求項１】
インク充填部と、固定形状を持つインク充填部カバーと、ペン先と、前記インク充填部のインクを手動により押し圧して前記インクを前記ペン先に導出する押圧部とを少なくとも有することを特徴とする液体インク用筆記具ハウジング。
【請求項２】
前記押圧部は、少なくとも、柔軟構造の前記インク充填部を押し圧する板バネ、又は、板バネと共に動く押板と、前記板バネ又は押板を手動で押し圧するための突起部と、前記突起部を前記インク充填部カバーの外部に出すための突起部用露出穴とを有することを特徴とする請求項１記載の液体インク用筆記具ハウジング。
【請求項３】
前記突起部と前記突起部用露出穴は、オスネジとメスネジの関係の係合をしていることを特徴とする請求項２記載の液体インク用筆記具ハウジング。
【請求項４】
前記押板、又は板バネは、厚みが徐々に変わり、その変化の方向に沿って、前記突起部用露出穴が細長く形成され、前記突起部を前記突起部用露出穴に沿ってスライドすることで前記押板又は前記板バネの押し込み量を調節することで前記インク充填部への押圧を調節するように形成したことを特徴とする請求項２記載の液体インク用筆記具ハウジング。
【請求項５】
前記突起部は、前記インク充填部の内側になる程、幅広に形成され、手動により前記突起部を押し込んだ場合に、押し込んだ状態を維持するために前記突起部を固定するストッパノブを有することを特徴とする請求項２に記載の液体インク用筆記具ハウジング。
【請求項６】
前記押圧部は、前記インク充填部に接続する蛇腹部を有し、前記蛇腹部を手動で押し圧することで、前記蛇腹部から前記インク充填部内の空気を介して前記インクを押し圧し、前記インクを前記ペン先に導出することを特徴とする請求項１に記載の液体インク用筆記具ハウジング。
【請求項７】
前記蛇腹部は、前記インク充填部の先端に直接付設されていることを特徴とする請求項６記載の液体インク用筆記具ハウジング。
【請求項８】
前記蛇腹部は、前記インク充填部カバーの指の当たる位置に形成され、前記蛇腹部と前記インク充填部とは、連結管で接続されていることを特徴とする請求項６記載の液体インク用筆記具ハウジング。
【請求項９】
前記インク充填部と前記ペン先を支持するインク充填部キャップは、分離可能に係合され、前記インク充填部カバーと前記ペン先を支持するペン先支持キャップとは分離可能に係合されていることで、分離により前記インクの詰め替えを可能としたことを特徴とする請求項１から請求項８のいずれかひとつに記載の液体インク用筆記具ハウジング。
【請求項１０】
前記ペン先は、筆記の際の前記ペン先の押し付けによって可動し、前記インクを通過させるインク通過路を有する可動ペン先部と、前記可動ペン先部がスライドする沿面を提供するペン先管と、バネ体とを有し、前記ペン先管の先端は、前記インク通過路を塞ぐように形成され、前記ペンの不使用時には、前記バネ体の押圧で前記可動ペン先が押し出され、前記インク通過路を塞ぎ、前記ペン使用時には、前記ペン先の押圧で前記ペン先が凹み、前記インク通過路の閉塞状態から開放されることで前記インクが前記ペン先に導出されることを特徴とする請求項１から請求項９のいずれかひとつに記載の液体インク用筆記具ハウジング。
【請求項１１】
前記インクとして畜光インクを充填したことを特徴とする請求項１から請求項１０記載の液体インク用筆記具ハウジングを用いた畜光インク用の筆記具。
【発明の詳細な説明】
【技術分野】
【０００１】
本発明は、液体インク用の筆記具ハウジングとそれを用いた筆記具に関するものであり、特に粘性のある液体インク、例えば、通常文字を書くインクのように薄塗りをするものよりは、特に厚塗りをするのに使用して便利なものである。このようなインクとしては、マニキュアや、ある程度厚塗りが必要な畜光或いは蛍光インクなど多数の例がある。  
【背景技術】
【０００２】
従来からある筆記具ハウジングとして、多くの提案があり、市場でもマニキュアのハウジングなどで見ることが出来る。以下に、従来提案されているものを例に背景技術を紹介する。特許文献１には、マニキュアなどに使用して便利な筆記具が紹介されている。ここでは、インクを充填した復元力の小さな内側チューブと指で閉塞できる空気穴を有する復元力の大きな外側チューブで構成した提案となっている。このような柔軟性のある外側チューブでは、以下の図5に示すと同じ欠点がある。それを図５で説明する。図５は、従来市場で見ることが出来る筆記具ハウジングを示す図である。この例では、ハウジングがインクを充填する1つの筒状部５０１からなっていて、細くなった先端部５０２に差し込まれたペン先５０３を有している。筒状部５０１は比較的柔軟性があり、使用時には指で押して加圧し、インクをペン先５０３から出して筆記するようになっている。このハウジングは、簡単な構成であるが、柔軟性が有り過ぎると、柔らかすぎて筆記具としては使いにくい。指で押せる柔軟性の部分以外に、手で持ったときに硬い部分が欲しいが、硬い部分の下にあるインクは押し出せないので、インクを無駄なく使うことでは不都合がある。特許文献２には、インクを内包する円筒の端末に回転により並進するピストン機構をつけ、円筒内をピストンの前進によりインクを押し出すものが提案され、このようなものの他の提案の課題点を含め紹介されている。これは、状況が同じであるので、竹で作った水鉄砲を想定すれば機能が理解できる。然しながら、このような提案で示されているものは、大変複雑で、精密で多数の製作過程を必要とするものとなっている。
【０００３】
【特許文献１】特開平１１−３１４０６４
【特許文献２】特開２００２−１０８２９
【発明の開示】
【発明が解決しようとする課題】
【０００４】
上記のような事情から、安価な製品であるインク用のハウジングに好適な簡単な構造で、製造も容易にでき、インクのペン先への供給量を手動により調節でき、インクを残部の最後まで使用でき、インクの詰め替えも可能な液体インク用筆記具ハウジングとそれを用いた筆記具、特に蓄光又は蛍光インク筆記具を提供することである。
【課題を解決するための手段】
【０００５】
上記の課題を解決するために、筆記具を手に支持しやすい様にインク充填部カバーを硬い固定形状にし、インク充填部のインクには手動により押し圧が掛かるように、インク充填部を柔軟形状にし押圧するか、又は、空気での押圧用にインク充填部と通じた蛇腹部を備えることで、インクをペン先に供給する手段を備えるものであり、以下、請求項に沿って説明する。
【０００６】
請求項１記載の発明は、液体インク用筆記具ハウジングであって、インク充填部と、固定形状を持つインク充填部カバーと、ペン先と、前記インク充填部のインクを手動により押し圧して前記インクを前記ペン先に導出する押圧部とを少なくとも有することを特徴とする。これにより、インクのペン先への吐出量を調節することが出来る。
【０００７】
請求項２記載の発明は、請求項１記載の液体インク用筆記具ハウジングにおいて、前記押圧部は、少なくとも、柔軟構造の前記インク充填部を押し圧する板バネ、又は、板バネと共に動く押板と、前記板バネ又は押板を手動で押し圧するための突起部と、前記突起部を前記インク充填部カバーの外部に出すための突起部用露出穴とを有することを特徴とする。これにより、指で突起部を押すことで、簡単にインク充填部に押圧をかけることが出来る。
【０００８】
請求項３記載の発明は、請求項２記載の液体インク用筆記具ハウジングにおいて、前記突起部と前記突起部用露出穴は、オスネジとメスネジの関係の係合をしていることを特徴とする。これにより回転すると突起部の押入れ、押し出しが可能となり、押圧の機能が達成される。
【０００９】
請求項４記載の発明は、請求項２記載の液体インク用筆記具ハウジングにおいて、前記押板、又は板バネは、厚みが徐々に変わり、その変化の方向に沿って、前記突起部用露出穴が細長く形成され、前記突起部を前記突起部用露出穴に沿ってスライドすることで前記押板又は前記板バネの押し込み量を調節することで前記インク充填部への押圧を調節するように形成したことを特徴とする。これにより、スライドにより簡単に押圧の調節が出来る。
【００１０】
請求項５記載の発明は、請求項２に記載の液体インク用筆記具ハウジングにおいて、前記突起部は、前記インク充填部の内側になる程、幅広に形成され、手動により前記突起部を押し込んだ場合に、押し込んだ状態を維持するために前記突起部を固定するストッパノブを有することを特徴とする。これにより、押圧の維持が可能である。
【００１１】
請求項６記載の発明は、請求項１に記載の液体インク用筆記具ハウジングにおいて、前記押圧部は、前記インク充填部に接続する蛇腹部を有し、前記蛇腹部を手動で押し圧することで、前記蛇腹部から前記インク充填部内の空気を介して前記インクを押し圧し、前記インクを前記ペン先に導出することを特徴とする。これにより、蛇腹部の押圧が直接インクに加えることができ、インクを残部まで有効に使うことが出来る。
【００１２】
請求項７記載の発明は、請求項６記載の液体インク用筆記具ハウジングにおいて、前記蛇腹部は、前記インク充填部の先端に直接付設されていることを特徴とする。これにより、簡単な構成で押圧機構を構成できる。
【００１３】
請求項８記載の発明は、前記蛇腹部は、請求項６記載の液体インク用筆記具ハウジングにおいて、前記インク充填部カバーの指の当たる位置に形成され、前記蛇腹部と前記インク充填部とは、連結管で接続されていることを特徴とする。これにより、筆記具を持った指の位置で押し圧することができる。
【００１４】
請求項９記載の発明は、請求項１から請求項８のいずれかひとつに記載の液体インク用筆記具ハウジングにおいて、前記インク充填部と前記ペン先を支持するインク充填部キャップは、分離可能に係合され、前記インク充填部カバーと前記ペン先を支持するペン先支持キャップとは分離可能に係合されていることで、分離により前記インクの詰め替えを可能としたことを特徴とする。
【００１５】
請求項１０記載の発明は、請求項１から請求項９のいずれかひとつに記載の液体インク用筆記具ハウジングにおいて、前記ペン先は、筆記の際の前記ペン先の押し付けによって可動し、前記インクを通過させるインク通過路を有する可動ペン先部と、前記可動ペン先部がスライドする沿面を提供するペン先管と、バネ体を有し、前記ペン先管の先端は、前記インク通過路を塞ぐように形成され、前記ペンの不使用時には、前記バネ体の押圧で前記可動ペン先が押し出され、前記インク通過路を塞ぎ、前記ペン使用時には、前記ペン先の押圧で前記ペン先が凹み、前記インク通過路の閉塞状態から開放されることで前記インクが前記ペン先に導出されることを特徴とする。これにより、不使用時のインクの漏れを防止することが出来る。
【００１６】
請求項１１記載の発明は、請求項１から請求項１０記載の液体インク用筆記具ハウジングを用いた畜光インク用の筆記具において、前記インクとして畜光又は蛍光インクを充填したことを特徴とする。これにより、粘度の高い畜光或いは蛍光インク筆記具を得ることができ、厚塗りにより有効に発光の輝度を得ることができる。
【発明の効果】
【００１７】
以上のように構成されているので、本発明による液体インク用筆記具ハウジング及び筆記具では、製造も容易にでき、インクのペン先への供給量を手動により調節でき、インクを残部の最後まで使用でき、インクの詰め替えも可能な液体インク用筆記具ハウジングとそれを用いた筆記具を得ることができる。
【発明を実施するための最良の形態】
【００１８】
本発明による液体インク用筆記具ハウジング及び筆記具を実施する最良の形態として、筆記具を手に支持しやすい様にインク充填部カバーを硬さのある固定形状体にし、インク充填部のインクには手動により押し圧が掛かるように、インク充填部を柔軟形状体にし押圧するか、又は、空気での押圧用にインク充填部と通じた蛇腹部を備えることで、インクをペン先に供給する手段を備えるものであり、以下、実施例を用いて説明する。
【実施例】
【００１９】
図１は、本発明による液体インク用筆記具ハウジングの一実施態様を示す斜視図である。インク充填部１０１は、ゴムのような押圧によって柔軟に凹むようになっている。このままでは、手で握ったときに柔軟すぎるので、これを硬い中継部１０２に接続するようになっている。中継部１０２は更にペン先１０３の付いたペン先端部１０４に差し込まれた状態で一体化されるか、ネジにより係合されている。このままでは、手で握ったときに柔軟なインク充填部１０１が親指と人差し指の間に当たり、安定した保持が出来ないので、硬い構造のインク充填部カバー１０５が、中継部１０２又は、ペン先端部１０４にネジにより係合するようになっている。そのため手にしっかり保持することが出来る。インク充填部カバー１０５には、板バネ１０６が一端をインク充填部カバー１０５に固定して付設され、板バネ１０６には、押板１０７が付いていて、更に板バネ１０６には押圧用の突起部１０８が付いていて、インク充填部カバー１０５にあけられた突起部用露出穴１０９から外側に出ている。指で突起部１０８を押すと、板バネ１０６と押板１０７が押し込まれ、柔軟なインク充填部１０１を押してインクに押圧がかかり、インクがペン先１０３から出るようになる。ペン先１０３にあけられたインク導出用の穴などの液体流動抵抗と指の押し込みの深さによる押圧により、出るインクの量が決められる。突起部１０８から押し込まれた指を戻すようにすると、板バネ１０６と押板１０７が戻って、インク充填部１０１も元の形状に戻る。このような構成によって、しっかり手で保持ができ、しかも、インク充填部カバー１０５の中のインクが全て使用するまで押し込むことができる。従って、中継部１０２からペン先端部１０４までのインクの通路の容積が小さければ、無駄なインクが少なく出来る。
【００２０】
図２は、本発明による液体インク用筆記具ハウジングの他の一実施態様を示す斜視図である。図１において、インク充填部カバー１０５の部分の別の３つの形態の例を示している。２−Ａでは、板バネ１０６と押板１０７の部分は、図１と同じになっている。違いは、突起部１０８とインク充填部カバー１０５にあけられた突起部用露出穴１０９の双方がオスとメスのネジになっている。突起部１０８に付いたハンドル１１０を回転することで、突起部１０８がねじ込まれ、板バネ１０６と押板１０７を押すことが出来る。ハンドル１１０の回転を調節することで、インクの出方を適度にすることが出来る。２−Ｂでは、インク充填部カバー１０５にあけられた突起部用露出穴１０９が図のように細長く形成されていて、突起部１０８は、この突起部用露出穴１０９に沿ってスライドする様になっている。板バネ１０６の上に厚みがスライド方向に沿って次第に変化する押板１０７があって、突起部１０８のスライド位置によって、板バネ１０６と押板１０７の押し込まれ方が決まり、親指で突起部１０８をスライドさせて使用することになる。２−Ｃでは、インク充填部カバー１０５にあけられた突起部用露出穴１０９が図のように長く形成されていて、ストッパノブ１１１は、この突起部用露出穴１０９に沿ってスライドする様になっている。突起部１０８は内側になるほど幅広になる形状をしている。突起部１０８を押し込んで、ストッパノブ１１１を突起部１０８に接触させると、突起部１０８の押し込まれた状態が保持される。ストッパノブ１１１を突起部１０８から離すと、突起部１０８は、板バネ１０６の復元力で戻ることになる。このようにして、突起部１０８の押し込みとストッパノブ１１１のスライドにより、インク充填部１０１に押圧を与えることが出来る。
【００２１】
図３は、本発明による液体インク用筆記具ハウジングの他の一実施態様を示す断面図を示す。３−Ａでは、インク充填部３０１Ａの先端部には、指の押圧により伸縮する蛇腹部３０２Ａが外部に付設され、インク充填部３０１Ａの反対側には、ペン先３０３Ａが付設してある。インク充填部３０１Ａとペン先３０３Ａを、硬いインク充填部カバー３０５Ａが蓋っている。インク充填部３０１Ａには、インク３０７Ａを均等に混ぜるための混合ボール３０８Ａが入れてある。蛇腹部３０２Ａを押すことで、内部の空気が圧縮され、インクを押して、ペン先３０３Ａにインクを供給することが出来る。ペン先３０３Ａとインク充填部カバー３０５Ａとの接触は、可動的でなくともよい。３−Ｂでは、インク充填部３０１Ｂの先端部には、伸縮する蛇腹部３０２Ｂが付設され、インク充填部３０１Ｂの反対側には、ネジにより係合されたインク充填部キャップ３０４Ｂがあって、ペン先３０３Ｂが付いている。インク充填部３０１Ｂ及び蛇腹部３０２Ｂとをカバーするようにインク充填部カバー３０５Ｂがあって、ネジにより係合されたペン先支持キャップ３０６Ｂがあり、ペン先３０３Ｂがペン先支持キャップ３０６Ｂの中を自由に可動できるようになっている。
インク充填部カバー３０５Ｂ又は、ペン先支持キャップ３０６Ｂを手で持って、ペン先３０３Ｂを物体に押し付けると、ペン先３０３Ｂが凹んで蛇腹部３０２Ｂが押され、インク充填部３０１Ｂ内の空気がインク３０７Ｂを押して、インク３０７Ｂをペン先３０３Ｂから押し出すことが出来る。３０８Ｂは、混合ボールである。３−Ｃでは、３−Ａのものとの違いは、蛇腹部３０２Ｃが、インク充填部カバー３０５Ｃの横、手で持ったときに親指又は人差指が当たる位置に開いた穴から突出するように付設してあることである。インク充填部カバー３０５Ｃの内部では、蛇腹部３０２Ｃとインク充填部３０１Ｃとを繋ぐように連結管３０９Ｃが付設してある。従って、手で持って、親指又は一差指で蛇腹部３０２Ｃへの押圧を調節して、ペン先３０３Ｃへのインク３０７Ｃの出方を適当にすることが出来る。尚、３０８Ｃは、混合ボールである。３−Ｄでは、インク充填部３０１Ｄの先端部から連結管３０９Ｄを介して、蛇腹部３０２Ｄに接続され、蛇腹部３０２Ｄは、図のように、３−Ｃと同じく、インク充填部カバー３０５Ｃの横、手で持ったときに親指又は人差指が当たる位置に開いた穴から突出するように付設してあることである。インク充填部３０１Ｄの反対側には、ネジにより係合されたインク充填部キャップ３０４Ｄがあって、ペン先３０３Ｄが付いている。インク充填部３０１Ｄをカバーするようにインク充填部カバー３０５Ｄがあって、ネジにより係合されたペン先支持キャップ３０６Ｄがあり、ペン先３０３Ｄがペン先支持キャップ３０６Ｄの中に通過している。この場合は、３−Ｂとは違い、ペン先３０３Ｄは可動的でなくともよい。親指又は人差指で蛇腹部３０２Ｄを押すことで、インク充填部３０１Ｄ内の空気がインク３０７Ｄを押して、ペン先３０３Ｄにインク３０７Ｄを供給することが出来る。
【００２２】
図４は、本発明による液体インク用筆記具ハウジングの他の一実施態様を示す断面図であって、ペン先の部分を示している。可動ペン先部４０１には、インクを通すためのインク通過路４０２が開いていて、端面は傾斜しながらペン先へインクを導く形状になっている。更に、可動ペン先部４０１は、ペン先管４０３の中を面に沿ってスライド可能に設置され、バネ体４０４が可動ペン先部４０１の上部の平坦面とペン先管４０３の上部のバネ支持部４０５の間に有って、可動ペン先部４０１を下側に押している。ペン先管４０３の先端は、図のように可動ペン先部４０１のインク通過路４０２を塞ぐように、可動ペン先部４０１の傾斜面に対応した傾斜面で形成され、バネ体４０４の力で、普段は、インク通過路４０２が塞がっている。可動ペン先部４０１を物体に押し付けると、可動ペン先部４０１が凹むことで、ペン先管４０３の傾斜面から可動ペン先部４０１の傾斜面が離れ、インク通過路４０２を通過してきたインクが可動ペン先部４０１の先に供給される。使用時のみインクの出方を調節するのに適した構造である。
【００２３】
尚、図１、図２、図３の３−Ｂ、３−Ｄのような構造では、インクの詰め替えが可能である利点があり、好都合である。
【００２４】
上記の本発明による液体インク用筆記具ハウジングは、マニキュアや畜光又は蛍光インク用の筆記具に利用して最適である。特に畜光インクは、記述のときに、ある程度の厚みを塗らないと夜光の明るさが十分でない。これは、畜光インクに含まれる畜光顔料の量によって、光量が決まるからである。図６には、畜光インクの塗り厚みと発光の明るさを示すグラフである。この例では、約０．１ｍｍ以上の塗り厚みがないと必要な光量（相対発光輝度）が得られない。通常の油性ペンで塗る厚みは、約０．０２ｍｍ以下であるので、これよりかなりの厚塗りが畜光インクでは必要とされる。厚塗りにおいてインクが回りにたれないためには、適度な粘度が必要であり、そのようなインクは、特許文献３、特許文献４、特許文献５などに多く提案されているので利用することができる。特に粘度の高いインクを押し出すには、図５のような従来の筆記具ハウジングでは、有効にインクを使い切るように最後まで押し圧できないので、上記の本発明による液体インク用筆記具ハウジングに畜光インクを充填すると好都合である。勿論、蛍光インクについても同様なことがいえる。
【００２５】
【特許文献３】特許第３４５６５５３
【特許文献４】特許第３５８５９９４
【特許文献５】特許第３５８６１９９
【産業上の利用可能性】
【００２６】
以上の様に、柔軟構造のインク充填部とそれを蓋う硬性構造のインク充填部カバーとが有るので手にしっかり把持することが出来、柔軟構造のインク充填部には、手の操作によるバネを介した押圧又は、蛇腹による空気圧によりインクをペン先に供給することができ、適度なインクの出方をさせることが出来る。さらに簡単な構造で製造が容易であるので、産業上大きな利用性を有している。
【図面の簡単な説明】
【００２７】
【図１】本発明に係る液体インク用筆記具ハウジングの一実施態様を示す斜視図である。
【図２】本発明による液体インク用筆記具ハウジングの他の一実施態様を示す斜視図である。
【図３】本発明による液体インク用筆記具ハウジングの他の一実施態様を示す断面図を示す。
【図４】本発明による液体インク用筆記具ハウジングの他の一実施態様を示す断面図であって、ペン先の部分を示している。
【図５】図５は、従来市場で見ることが出来る筆記具ハウジングを示す図である。
【図６】畜光インクの塗り厚みと発光の明るさを示すグラフである。
【符号の説明】
【００２８】
１０１、３０１Ａ、３０１Ｂ、３０１Ｃ、３０１Ｄ  インク充填部
１０２  中継部
１０３、３０３Ａ、３０３Ｂ、３０３Ｃ、３０３Ｄ、５０３  ペン先
１０４  ペン先端部
１０５、３０５Ａ、３０５Ｂ、３０５Ｃ、３０５Ｄ  インク充填部カバー
１０６  板バネ
１０７  押板
１０８  突起部
１０９  突起部用露出穴
１１０  ハンドル
１１１  ストッパノブ
３０２Ａ、３０２Ｂ、３０２Ｃ、３０２Ｄ  蛇腹部
３０４Ｄ  インク充填部キャップ
３０６Ｂ、３０６Ｄ  ペン先支持キャップ
３０７Ａ、３０７Ｂ、３０７Ｃ、３０７Ｄ  インク
３０８Ａ、３０８Ｂ、３０８Ｃ、３０８Ｄ  混合ボール
３０９Ｃ、３０９Ｄ  連結管
４０１  可動ペン先部
４０２  インク通過路
４０３  ペン先管
４０４  バネ体
４０５  バネ支持部
５０１  筒状部
５０２  先端部
【図１】
2007098699.tif 000003
【図２】
2007098699.tif 000004
【図３】
2007098699.tif 000005
【図４】
2007098699.tif 000006
【図５】
2007098699.tif 000007
【図６】
2007098699.tif 000008